(57)【要約】【課題】冷蔵庫の状態変化をユーザに知らせるに当たって，ユーザ対する精神的ショックの少ない報知方法を採用することの出来る冷蔵庫を提供すること。【解決手段】冷蔵庫内を照らす照明手段と，照明手段を制御する照明制御手段とを備え，照明制御手段が，冷蔵庫の状態が，冷蔵庫を開閉する扉の開時間の長さであり，前記照明制御手段が，前記扉が予め定められた所定時間以上継続して開状態が続いた場合に，前記照明手段を点滅させ，照明色を変化させ，あるいは照明手段の輝度を低下させる。また，前記冷蔵庫の状態が，単位時間内に冷蔵庫を開閉する扉の開閉回数である場合に，前記照明制御手段が，前記単位時間内の扉の開閉回数が予め定められた所定回数を超えたことを条件に，前記照明手段を点滅させ，照明色を変化させ，あるいは照明手段の輝度を低下させる。【選択図】図３
2010164250.tif 000002
【特許請求の範囲】
【請求項１】
冷蔵庫内を照らす照明手段と，該照明手段を制御する照明制御手段とを備えた冷蔵庫において，
前記照明制御手段が，当該冷蔵庫の状態に応じて前記照明手段の照明状態を変化させるものである冷蔵庫。
【請求項２】
前記冷蔵庫の状態が，冷蔵庫を開閉する扉の開時間の長さであり，前記照明制御手段が，前記扉が予め定められた所定時間以上継続して開状態が続いた場合に，前記照明手段を点滅させ，照明色を変化させ，あるいは照明手段の輝度を低下させるものである請求項１に記載の冷蔵庫。
【請求項３】
前記冷蔵庫の状態が，単位時間内に冷蔵庫を開閉する扉の開閉回数であり，前記照明制御手段が，前記単位時間内の扉の開閉回数が予め定められた所定回数を超えた場合に，前記照明手段を点滅させ，照明色を変化させ，あるいは照明手段の輝度を低下させるものである請求項１に記載の冷蔵庫。
【請求項４】
更に，霜取装置と庫内の温度を検出する温度センサとを備えた冷蔵庫であって，
前記霜取装置が作動中，あるいは霜取動作後の予め定められた所定時間内に，前記温度センサによって検出された庫内温度が，予め定められた所定温度を超えた場合に，前記照明手段を点滅させ，照明色を変化させ，あるいは照明手段の輝度を低下させるものである請求項１〜３のいずれかに記載の冷蔵庫。
【請求項５】
更に，当該冷蔵庫に備えられたコンプレッサ，ファンモータなどの機械部品の動作時間を計測するタイマを備えた冷蔵庫であって，
前記タイマにより計測された動作時間が，予め定められた寿命時間を超えた場合に，前記照明手段を点滅させ，照明色を変化させ，あるいは照明手段の輝度を低下させるものである請求項１〜３のいずれかに記載の冷蔵庫。
【請求項６】
前記照明制御手段が，前記照明手段を点滅させ，あるいは照明色を変化させる制御を予め定められた所定の経過時間続けた後に，更に照明手段の輝度を低下させるものである請求項１〜５のいずれかに記載の冷蔵庫。
【請求項７】
更に，前記照明手段による照明状態の変化態様を手動で設定する手動設定手段を備えてなる請求項１〜６のいずれかに記載の冷蔵庫。
【発明の詳細な説明】
【技術分野】
【０００１】
本発明は，冷蔵庫内を照らす庫内灯などの照明手段の照明状態を変化させることによって，冷蔵庫の状態変化を外部に報知する機能を備えた冷蔵庫に関するものである。
【背景技術】
【０００２】
一般の冷蔵庫では，開閉扉を開けると白熱灯やＬＥＤなどの庫内灯が点灯し，庫内を見やすくするようになっている。しかし，扉が長時間開放されると，庫内灯も長時間点灯することになり，庫内灯の温度上昇によって，庫内灯周辺の樹脂製品が変形したり，劣化したりする不都合がある。また，消費電力の増大の問題もある。
そのため，冷蔵庫の扉が長時間開いたまま放置された場合には，ドアスイッチ等により扉の開閉状態を認識し，ブザーなどによって警告するようにした冷蔵庫が知られている（特許文献１）。
【先行技術文献】
【特許文献】
【０００３】
【特許文献１】特開２０００−１３０９１７号公報
【発明の概要】
【発明が解決しようとする課題】
【０００４】
しかしながら，たとえブザーなどで警告するようにしても，ユーザが留守その他の事情などでそれに気づかなければ庫内灯は点灯を継続するため，庫内灯の温度上昇による庫内灯周辺の樹脂製品が変形や，劣化の不都合は解消されない。また，消費電力の増大を阻止することが出来ない。
また，前記特許文献１のように警告音を発する方法では，冷蔵庫の近くにいるユーザを驚かせることによる精神的問題が大きい。従って，よりショックの少ない警告方法が望ましい。
例えば，ドアスイッチの故障や扉の閉め忘れなどで睡眠中にブザーが鳴ったのでは，ドアスイッチの修理が完了するか扉を閉めるまではブザーが鳴りやまず、安眠を妨げられることによる精神的な問題が大きい。また，集合住宅など近隣との境界が迫っている住環境では，ブザーは，近隣の住民に対する騒音ともなるので，推奨される警告方法ではない。
また，ある程度の時間，警告を発してもなお扉の開状態が改善されない場合には，それ以上消費電力の無駄を続けることを避けるために，更に消費電力の少ない状態に移行するような措置が望ましい。
本発明は上記事情に基づいて創作されたものであり，冷蔵庫の状態変化をユーザに知らせるに当たって，ユーザ対する精神的ショックの少ない報知方法を採用することの出来る冷蔵庫を提供することを目的とする。
【課題を解決するための手段】
【０００５】
上記目的を達成するために本発明は，冷蔵庫内を照らす照明手段と，該照明手段を制御する照明制御手段とを備えた冷蔵庫において，前記照明制御手段が，当該冷蔵庫の状態に応じて前記照明手段の照明状態を変化させるものである冷蔵庫として構成される。
前記冷蔵庫の状態としては種々のものが考えられるが，冷蔵庫を開閉する扉の開時間の長さがその一例であり，この場合，前記照明制御手段が，前記扉が予め定められた所定時間以上継続して開状態が続いた場合に，前記照明手段を点滅させ，照明色を変化させ，あるいは照明手段の輝度を低下させるものが考えられる。
前記冷蔵庫の状態における別の例としては，単位時間内に冷蔵庫を開閉する扉の開閉回数が考えられる。この場合には，前記照明制御手段が，前記単位時間内の扉の開閉回数が予め定められた所定回数を超えた場合に，前記照明手段を点滅させ，照明色を変化させ，あるいは照明手段の輝度を低下させるものであってもよい。
このような刺激の少ない照明状態の変化によって冷蔵庫の状態の変化を放置することによって，使用者の睡眠が妨られたり，近隣の住民に被害を及ぼすような不都合を生じないようにすることが出来る。
上述のような冷蔵庫においては，更に，霜取装置と庫内の温度を検出する温度センサとを備えた冷蔵庫が一般に普及している。この場合，前記霜取装置が作動中，あるいは霜取動作後の予め定められた所定時間内に，前記温度センサによって検出された庫内温度が，予め定められた所定温度を超えた場合に，前記照明手段を点滅させ，照明色を変化させ，あるいは照明手段の輝度を低下させるようにすることが望ましい。
更に，当該冷蔵庫に備えられたコンプレッサ，ファンモータなどの機械部品を備え，その動作時間を計測するタイマを備えた冷蔵庫の場合には，前記タイマにより計測された動作時間が，予め定められた寿命時間を超えた場合に，前記照明手段を点滅させ，照明色を変化させ，あるいは照明手段の輝度を低下させることが望ましい。
更に，前記照明制御手段が，前記照明手段を点滅させ，あるいは照明色を変化させる制御を予め定められた所定の経過時間続けた後に，更に照明手段の輝度を低下させるものであれば，照明用の消費電力を更に低下させることが出来る。
更に，本冷蔵庫の場合，前記照明手段による照明状態の変化態様を手動で設定する手動設定手段を備えてなることによって，ユーザによって任意に照明色を設定することが出来，使用者が望む照明色が得られ，冷蔵庫の使用価値が向上する。
【発明の効果】
【０００６】
本発明によれば，冷蔵庫の状態に応じて前記照明手段の照明状態を変化させることが出来るので，例えば庫内温度が上昇したことをユーザに知らせるとしても，ブザーなどの刺激の強い公知の手法を用いず，照明手段の照明状態を変化させるものであるから，心理的に落ち着いた状態で警告を受けることが出来，またユーザの就寝時や深夜などにおいても隣近所に迷惑になることがないので，冷蔵庫の使用価値を向上させることが出来る。
【図面の簡単な説明】
【０００７】
【図１】本発明の一実施形態に係る冷蔵庫の概略構成を説明する模式図。
【図２】本発明の一実施形態に係る冷蔵庫における照明制御部の概略構成を示すブロック図。
【図３】照明制御部の制御手順の一例を示すフロー図。
【図４】本発明の一実施例に係る冷蔵庫における照明制御部の制御手順の一例を示すフロー図。
【図５】本発明の他の実施例に係る冷蔵庫における照明制御部の制御手順の一例を示すフロー図。
【図６】本発明の他の実施例に係る冷蔵庫における照明制御部の制御手順の一例を示すフロー図。
【図７】本発明の他の実施例に係る冷蔵庫における照明制御部の制御手順の一例を示すフロー図。
【発明を実施するための形態】
【０００８】
以下添付図面を参照しながら，本発明の実施の形態について説明し，本発明の理解に供する。尚，以下の実施の形態は，本発明を具体化した一例であって，本発明の技術的範囲を限定する性格のものではない。
【０００９】
まず，図１の概要図を用いて，本発明の実施の形態に係る冷蔵庫Ｘの概略構成について説明する。
図１に示すように，この実施形態に係る冷蔵庫Ｘは，冷蔵庫Ｘ内を照らす照明手段としての庫内灯２と，扉３と，扉３の開閉を検知する扉スイッチ４と，上記庫内灯２を制御する照明制御手段の一例としての照明制御部５とを備えている。
また，７は圧縮機，８はファンモータ，６は自動霜取装置，９は庫内の温度を検出する温度センサであり，冷蔵庫Ｘには，冷蔵室１０，冷凍室１１，野菜室１２など周知の構成要素が設けられている。
前記照明制御部５は，冷蔵庫Ｘの状態に応じて前記庫内灯２の照明状態を変化させるものである。
【００１０】
図２は上記照明制御部５の概要を説明するためのブロック図である。
図２に示すように，照明制御部５は，ＣＰＵなどの制御回路を中心に構成される。
照明制御部５の入力部には，前記扉スイッチ４，温度センサ９からの信号が入力される。
また，前記入力部には，更に圧縮機７を駆動する圧縮機駆動部１３からの駆動信号などの情報及び，ファンモータ８を駆動するファンモータ駆動部１４からの駆動信号などの情報が入力される。
前記扉３の表面には，設定温度その他の種々の情報を入力するテンキー，その他の入力キーを備えたタッチパネル１５が設けられており，前記照明制御部５の入力部には，さらに上記タッチパネル１５からの入力データが入力される。
照明制御部５の出力部には，前記庫内灯２及び自動霜取装置６の駆動回路（不図示）が接続されている。
【００１１】
前記冷蔵庫Ｘの状態としては，種々のものが考えられるが，例えば前記扉スイッチ４が検出する扉３の開時間の長さであったり，単位時間内に前記扉３が開閉される開閉回数などである。
更に，この実施形態に係る冷蔵庫Ｘでは，前記照明制御部５が，前記扉３が予め定められた所定時間以上継続して開状態が続いた場合に，前記庫内灯２を点滅させたり，照明色を変化させたり，あるいは庫内灯２のへの通電率を低下させて庫内灯２の輝度を低下させることで，ブザーなどの驚きを伴うことのない方法でユーザに扉３が開いているあるいは頻繁に開くことによる消費電力の無駄を警告する。
このような，照明状態の変化という刺激の少ない方法によって冷蔵庫の状態変化を報知することが出来るので，例えば庫内温度が上昇したことをユーザに知らせるとしても，ブザーなどの刺激の強い公知の手法を用いず，照明手段の照明状態を変化させるものであるから，心理的に落ち着いた状態で警告を受けることが出来，またユーザの就寝時や深夜などにおいても隣近所に迷惑になることがないので，冷蔵庫の使用価値を向上させることが出来る。
【００１２】
次に，図３の制御フロー図を参照して，前記扉スイッチ４が検出する扉３の開時間の長さに応じて，前記照明制御部５が前記庫内灯２を点滅させ，あるいは輝度を低下させることで，消費電力の無駄を警告すると共に，消費電力を節減する場合の実施形態について説明する。以下の説明中，Ｓ１，Ｓ２…は，制御手順（ステップ）の識別記号である。
【００１３】
照明制御部５は，まず扉スイッチ４からの入力信号に基づいて扉３があらかじめ定められた所定時間（例えば，１５秒）以上開いているかどうかを判断する（Ｓ１）。時間の経過は，照明制御部５内に備えられたタイマＴによる計時データを用いる。
開いていると判断された場合には，庫内灯２（例えば，ＬＥＤなど）を点灯すると共に，その時点からの経過時間をカウントする（Ｓ２）。この時点では，庫内灯２への通電率は１００％に制御される。
【００１４】
次に，照明制御部５は，上記経過時間が予め定められた所定の時間（例えば，１分間）経過したか否かを判断する（Ｓ３）。前記所定時間が経過していない場合には，Ｓ４に移行し，扉３が閉じたか否かを判断する。扉３が閉じられた場合には，Ｓ１３へ移行する。閉じられていない場合にはＳ２へ戻り，庫内灯２への通電率１００％による通電を継続する。
【００１５】
前記Ｓ３で，扉３の開時間が前記所定時間（１分）を経過した場合（Ｓ３においてＹｅｓ）には，庫内灯２を点滅させ（例えば，１秒ごとにＯＮ，ＯＦＦ），更にその後（あるいは同時に）庫内灯２への通電率を９０％に低下させる。これによって，庫内灯２の負荷が抑制され，消費電力が節減される（Ｓ５）。この場合，前記照明制御部５が，前記庫内灯２を点滅させ，あるいは照明色を変化させる制御を予め定められた所定の経過時間続けた後に，更に庫内灯２の輝度を低下させるものであってもよい。
さらに，Ｓ６において，予め定められた所定時間（例えば２分）が経過したか否かを判断し，経過していなければ扉３が閉じられたかを判断し（Ｓ７），閉じられていない場合にはＳ５へ戻って点滅を繰り返しつつ時間（２分）経過を待ち，閉じられていると判断した場合には，Ｓ１３へ移行する。
Ｓ６において，２分が経過したと判断された場合には，１秒おきの点滅状態を維持したまま，庫内灯２への通電率を予め定められた所定の通電率（例えば，８０％）に低下させて，点滅状態を維持する（Ｓ８）。
このように扉３の開状態が長期化すると，庫内灯２への通電率を低下させるので，消費電力は更に低下する。
【００１６】
さらに，Ｓ９において，予め定められた所定時間（例えば３分）が経過したか否かを判断し，経過していなければ扉３が閉じられたかを判断し（Ｓ１０），閉じられていない場合にはＳ８へ戻って時間（３分）経過を待ち，閉じられていると判断した場合には，Ｓ１３へ移行する。
Ｓ９において，３分が経過したと判断された場合には，１秒おきの点滅状態を維持したまま，庫内灯２への通電率を予め定められた所定の通電率（例えば，７０％）に低下させて，点滅状態を維持する（Ｓ１１）。
【００１７】
更に，Ｓ１２において，扉３が閉じられたかどうかを判断する。扉３が閉じられた場合にはＳ１３へ移行する。扉３が閉じられていない場合には，Ｓ１１へ戻り庫内灯２への通電率を７０％に維持して点滅を繰り返す。
前記Ｓ１３では，扉３が閉じられているので，庫内灯２を消灯しタイマＴのカウントをクリアする。
【００１８】
以上の実施形態によって，扉３が開かれた状態が長く続くほど通電率が低下されるので節電効果がより強く達成されると共に，周囲の部材の劣化や変形が防止される。
またこの実施形態では，庫内灯２についてＬＥＤを用いた場合を説明したが，白熱灯であっても事情は変わらない。また，節電処理として庫内灯２の点滅処理と通電率の低下を行ったが，庫内灯２への引加電圧を低下させることで，輝度を低下させ，発熱を抑制させてもよい。
更に，上の実施形態では，警報として庫内灯２の点滅と通電率の調整とが行われたが，これに加えて，ブザーを鳴動させることも可能である。
この場合，望ましくは，例えば深夜などの特定の時間帯であるかどうかを判断して，特定の時間帯についてはブザーを停止させるようなことも望ましい実施形態といえよう。
【００１９】
上記実施形態においては，前記扉３について予め定められた所定時間以上継続して開状態が続いた場合に，庫内灯２への電力制限を行うことによって，庫内灯２の過熱を防止したが，次に述べる実施形態のように，単位時間内に前記扉３が開閉される開閉回数に応じて庫内灯２の過熱を防止するものであってもよい。また，以下の実施例では，庫内灯２の過熱を防止する方法として，あるいは，扉３が開いている状況を警告する方法として，庫内灯２の照明色を変化させる。この場合も，照明色を変化させるだけでなく，点滅させ，あるいは庫内灯２の輝度を低下させるものであっても良いことは言うまでもない。
制御ブロック図は，図２に示したものが流用可能である。
【実施例】
【００２０】
以下の実施例では，扉３を備えた冷蔵庫Ｘの冷蔵室１０に可変色の庫内灯２を設け，照明制御部５によって，この庫内灯２の光色を制御する。庫内灯２は光色を変化させることが可能な光源としてＬＥＤを組み合わせたものであり，例えば光色として，白色，黄色，橙色，赤色の複数種類のＬＥＤを有し，照明制御部５により決められた光色になるように庫内灯２を制御する。
庫内灯２は使用者に冷蔵庫の状況を注意するように光色を変化させることから注意を促す光色として，正常時の白色から黄色，橙色，赤色等の暖色系の光色に変化させる。
例えば，扉スイッチ４のオン，オフによって，あらかじめ定められた時間，例えば一日の扉の開閉回数が所定の回数以上となった場合に，照明制御部５により庫内灯２の光色を橙色系に変化させる。この時の制御手順が図４に示される。
【００２１】
この例では，一日カウンタ（タイマ）がリセットされる処理（Ｓ２１）からスタートする。
タイマがリセットされると，扉スイッチ４のオン，オフによって作動される開閉カウンタＣ（図２参照）がリセットされる（Ｓ２２）。この初期状態においては，庫内灯２の照明色は白色にセットされる（Ｓ２３）。
次に，照明制御部５は，扉スイッチ４の信号を受信して扉３が閉から開に変化したかどうかを判断する（Ｓ２４）。開に変化した場合には，扉３の開時間を積算する前記タイマＴをリセットして新たにカウントを開始する（Ｓ２５）と共に，開閉カウンタＣの値に１を加算（インクリメント）する（Ｓ２６）。
そして照明制御部５は，開閉カウンタＣの値があらかじめ定めた所定の回数を上まわったかどうかを判断（Ｓ２７）し，上まわった場合には，庫内灯２の照明色を橙色に変化させる（Ｓ２８）。上まわらなかった場合には，扉３が開となっている時間を前記タイマＴの値から読み取り，これがあらかじめ定められた所定の値（例えば１５秒）より大きいかどうかを判断する（Ｓ２９）。
【００２２】
タイマＴの値が１５秒より大きい場合には，処理を前記庫内灯２の点滅処理に移すべく図３に示したＳ１に移行し，図３の処理が終了するとＳ２４に戻す。
１５秒より大きくない場合には，扉が現在閉じられた状態かどうかを判断し（Ｓ３０），開いている場合には，処理をＳ２９に戻し１５秒以上開いているかどうかを判断する。
Ｓ３０で扉３が閉じたと判断されれば，タイマＴをクリアして処理をＳ２４に戻す。
【００２３】
Ｓ２４で扉３が開になっていないと判断された場合には，Ｓ３２において一日カウンタ（タイマ）が一日を経過したかどうかを判断し，一日たっていない場合には，再度処理をＳ２４に戻し，一日経過したと判断した場合には，処理を初期段階のＳ２１に戻す。
【００２４】
冷蔵庫Ｘでは，霜取処理が行われるために，冷蔵庫Ｘ内の温度が上昇しすぎてしまう場合があり，その場合にも扉が開いている場合と同様に警告する必要がある。
【００２５】
即ち，前記自動霜取装置６が作動中，あるいは，前記温度センサ９によって検出された庫内温度が，予め定められた所定温度を超えた場合に，前記庫内灯２を点滅させ，照明色を変化させ，あるいは庫内灯２の輝度を低下させるような刺激が弱く使用者の精神的負荷が少ない報知方法を用いることが望ましい。
そのため，次の実施例では，冷凍室１１に自動霜取装置６と，温度センサ９とを有し，自動霜取動装置６が動作中あるいは霜取動作後の予め定められた所定時間内に，霜取動作のために冷凍室１１の温度が上昇し−１０℃以上の場合に照明制御部５により庫内灯２を点滅させたり，あるいは庫内灯２の光色を黄色に変化させる。さらには，庫内灯の輝度を低下させる。霜取動作中に光色を黄色に変化させる場合の動作手順は図５に示される。
【００２６】
この処理は図５に示されるように，初期的に，庫内灯２に照明色を白色に設定する処理（Ｓ４１）から開始される。
次に照明制御部５は，自動霜取装置６の駆動部（不図示）を参照して，自動霜取装置６が動作中であるか否かを判断する（Ｓ４２）。
動作中であれば庫内灯２の照明色を黄色に設定して処理をＳ４２に戻す（Ｓ４３）。
【００２７】
Ｓ４２において，自動霜取装置６が動作中でないと判断された場合には，庫内灯２が黄色に設定されているかどうかを判断し（Ｓ４４），黄色でない場合には，処理をＳ４２に戻す。黄色である場合には，温度センサ９からの信号を参照して冷凍室１１内の温度が−１０℃を超えているかどうかを判断し，超えている場合には，処理をＳ４２に戻し（即ち，自動霜取動作中か否かを判断し），超えていない場合には，処理をＳ４１に戻して，照明色を白色に戻す。
上の動作は，前記したように霜取動作の終了後予め定められた所定時間経過後に行われても良い。
【００２８】
上記庫内灯２の照明色の変化による警告（あるいは，点滅による警告）は，機械部品が寿命になったことをユーザに知らせることにも使うことができる。
冷蔵庫Ｘには，例えば，冷蔵庫Ｘを冷却するための機械部品として，前記圧縮機７やファンモータ８が設けられている。これらの機械部品は，動作時間に寿命があるため，これらの機械部品の動作時間を図外のタイマで測定・保存し，動作時間があらかじめ定められた動作寿命を超えた場合に照明制御部５により庫内灯２の光色系を赤色に変化させる。この動作のフロー図を図６に示す。
この場合，照明制御部５には，常時圧縮機駆動部１３やファンモータ駆動部１４を参照して，これらの機械部品の駆動時間を積算する図外のタイマがそれぞれ設けられているものとする。
【００２９】
照明制御部５は，最初に電源がオンになっていると（Ｓ５１），図外のメモリなどを参照して，前記圧縮機７やファンモータ８などの機械部品のあらかじめ定められた寿命時間を読み込む（Ｓ５２）。
次に照明制御部５は，前記機械部品が現在動作中かどうかを判断し，動作中であれば機械部品の動作時間を積算する前記タイマの値に加算して（Ｓ５４），積算されたタイマの値がＳ５２で読み込まれた動作寿命時間を超えたかどうかを判断する（Ｓ５５）。寿命時間を超えた場合には，照明制御部５は，庫内灯２の照明色を赤に変化させ（Ｓ５６）て，機械部品が寿命であることを知らせる。寿命時間を超えていないと判断された場合には，処理をＳ５３に戻して，タイマの値の加算を継続する。
照明制御部５は，Ｓ５３において，機械部品が動作中でないと判断した場合には，機械部品の動作時間を積算する前記タイマが動作中であるか否かを判断し（Ｓ５７），動作中でなければ処理をＳ５３に戻す。動作中である場合には，前記タイマの動作を中止し（Ｓ５８），その時点でのタイマによる計測時間を保存して（Ｓ５９），処理をＳ５３に戻す。
上の例では，庫内灯２の照明色を変化させたが，前記庫内灯２を点滅させ，あるいは庫内灯２の輝度を低下させるものであってもよい。
【００３０】
それぞれの状態を表示する庫内灯２の光の色はユーザによって任意に手動で設定できるようにすることが望ましい。このような光色変更選択機能をフロー図７によって説明する。図７は複数の光色設定指示があった場合に優先順位を決める場合の処理を示す。
【００３１】
この冷蔵庫Ｘでは，冷蔵庫Ｘの状態に応じて庫内灯２の照明色を変化させるモードと変化させないモードとを，前記タッチパネル１５からの入力によって切り換えることができる。
処理にあたって，照明制御部５は，現在冷蔵庫Ｘの状態に応じて庫内灯２の照明色を変化させるモード状態になっているかどうかを判断する（Ｓ６１）。
照明色を変化させるモード状態になっていると判断された場合には，タッチパネル１５からの入力を参照して，赤色，黄色，橙色のいずれの照明色を採用する入力があったかを判断し（Ｓ６２〜Ｓ６４），いずれかの入力があった場合には，入力された色の照明色に設定する（Ｓ６５〜Ｓ６７）。
【産業上の利用可能性】
【００３２】
本発明は，庫内灯を備えた冷蔵庫に適用可能である。
【符号の説明】
【００３３】
Ｘ…冷蔵庫
Ｃ…開閉カウンタ
Ｔ…タイマ
２…庫内灯
３…扉
４…扉スイッチ
５…照明制御部
６…自動霜取装置
７…圧縮機
８…ファンモータ
９…温度センサ
１０…冷蔵室
１３…圧縮機駆動部
１４…ファンモータ駆動部
１５…タッチパネル
Ｓ１，Ｓ２……処理手順（ステップ）番号
【図１】
2010164250.tif 000003
【図２】
2010164250.tif 000004
【図３】
2010164250.tif 000005
【図４】
2010164250.tif 000006
【図５】
2010164250.tif 000007
【図６】
2010164250.tif 000008
【図７】
2010164250.tif 000009